(57)【要約】  制御情報を送信するための技法が説明される。一側面においては、制御メッセージにおいて送信される情報は、各部分が特定のタイプの情報を含む複数の部分に分割することができる。前記複数の部分は、複数のカテゴリ、例えば動的、半静的、及び静的、に分類することができる。全部分を含む完全メッセージを生成して第１のレートで送信することができる。前記動的カテゴリ内の部分を含む第１の部分的メッセージを生成して最高レートで送信することができる。前記半静的カテゴリ内の部分を含む第２の部分的メッセージを生成して前記最高レートよりも遅い第２のレートで送信することができる。前記静的カテゴリ内の部分を含む第３の部分的メッセージを生成して前記第２のレートよりも遅い第３のレートで送信することができる。【選択図】図５
2010518707.tif 000002
【特許請求の範囲】
【請求項１】
無線通信のための装置であって、    
各部分が特定のタイプの情報を備える複数の部分を備える完全メッセージを生成し、前記完全メッセージを第１のレートで送信し、前記完全メッセージ内の前記複数の部分から成る異なる部分組を備える複数の部分的メッセージを生成し、及び前記複数の部分的メッセージを各々のレートで送信するように構成された少なくとも１つのプロセッサと、
前記少なくとも１つのプロセッサに結合されたメモリと、を備える、無線通信のための装置。
【請求項２】
前記少なくとも１つのプロセッサは、前記複数の部分的メッセージを異なるレートで送信するように構成される請求項１に記載の装置。
【請求項３】
前記少なくとも１つのプロセッサは、最も頻繁に変化する少なくとも１つの部分を備える第１の部分的メッセージを生成し、及び前記第１の部分的メッセージを前記第１のレートよりも速い最高レートで送信するように構成される請求項１に記載の装置。
【請求項４】
前記少なくとも１つのプロセッサは、前記第１の部分的メッセージ内の前記少なくとも１つの部分よりも低い頻度で変化する少なくとも１つの部分を備える第２の部分的メッセージを生成し、及び前記第２の部分的メッセージを前記最高レートよりも遅い第２のレートで送信するように構成される請求項３に記載の装置。
【請求項５】
前記少なくとも１つのプロセッサは、変化しない又は前記第２の部分的メッセージ内の前記少なくとも１つの部分よりも低い頻度で変化する少なくとも１つの部分を備える第３の部分的メッセージを生成し、及び前記第３の部分的メッセージを前記第２のレートよりも遅い第３のレートで送信するように構成される請求項４に記載の装置。
【請求項６】
前記第１の部分的メッセージは、資源割り当て情報、確認応答情報、及びポインタ情報のうちの少なくとも１つを備える請求項３に記載の装置。
【請求項７】
前記第２の部分的メッセージは、干渉及び雑音情報及び物理層（ＰＨＹ）情報のうちの少なくとも１つを備える請求項４に記載の装置。
【請求項８】
前記第３の部分的メッセージは、基地局識別子情報を備える請求項５に記載の装置。
【請求項９】
前記完全メッセージは、ダウンリンクマップ（ＤＬ−ＭＡＰ）メッセージを備える請求項１に記載の装置。
【請求項１０】
無線通信のための方法であって、
各部分が特定のタイプの情報を備える複数の部分を備える完全メッセージを生成することと、
前記完全メッセージを第１のレートで送信することと、
前記完全メッセージ内の前記複数の部分から成る異なる部分組を備える複数の部分的メッセージを生成することと、      
前記複数の部分的メッセージを各々のレートで送信すること、とを備える、無線通信のための方法。
【請求項１１】
前記複数の部分的メッセージを前記生成することは、最も頻繁に変化する少なくとも１つの部分を備える第１の部分的メッセージを生成することを備え、及び前記複数の部分的メッセージを前記送信することは、前記第１の部分的メッセージを前記第１のレートよりも速い最高レートで送信することを備える請求項１０に記載の方法。
【請求項１２】
前記複数の部分的メッセージを前記生成することは、前記第１の部分的メッセージ内の前記少なくとも１つの部分よりも低い頻度で変化する少なくとも１つの部分を備える第２の部分的メッセージを生成することをさらに備え、及び前記複数の部分的メッセージを前記送信することは、前記第２の部分的メッセージを前記最高レートよりも遅い第２のレートで送信することをさらに備える請求項１１に記載の方法。
【請求項１３】
前記複数の部分的メッセージを前記生成することは、変化しない又は前記第２の部分的メッセージ内の前記少なくとも１つの部分よりも低い頻度で変化する少なくとも１つの部分を備える第３の部分的メッセージを生成することをさらに備え、及び前記複数の部分的メッセージを前記送信することは、前記第３の部分的メッセージを前記第２のレートよりも遅い第３のレートで送信することをさらに備える請求項１２に記載の方法。
【請求項１４】
無線通信のための装置であって、
各部分が特定のタイプの情報を備える複数の部分を備える完全メッセージを生成するための手段と、
前記完全メッセージを第１のレートで送信するための手段と、
前記完全メッセージ内の前記複数の部分から成る異なる部分組を備える複数の部分的メッセージを生成するための手段と、      
前記複数の部分的メッセージを各々のレートで送信するための手段と、を備える、無線通信のための装置。
【請求項１５】
前記複数の部分的メッセージを生成するための前記手段は、最も頻繁に変化する少なくとも１つの部分を備える第１の部分的メッセージを生成するための手段を備え、及び前記複数の部分的メッセージを送信するための前記手段は、前記第１の部分的メッセージを前記第１のレートよりも速い最高レートで送信するための手段を備える請求項１４に記載の装置。
【請求項１６】
前記複数の部分的メッセージを生成するための前記手段は、前記第１の部分的メッセージ内の前記少なくとも１つの部分よりも低い頻度で変化する少なくとも１つの部分を備える第２の部分的メッセージを生成するための手段をさらに備え、及び前記複数の部分的メッセージを送信するための前記手段は、前記第２の部分的メッセージを前記最高レートよりも遅い第２のレートで送信するための手段をさらに備える請求項１５に記載の装置。
【請求項１７】
前記複数の部分的メッセージを生成するための前記手段は、変化しない又は前記第２の部分的メッセージ内の前記少なくとも１つの部分よりも低い頻度で変化する少なくとも１つの部分を備える第３の部分的メッセージを生成するための手段を備え、及び前記複数の部分的メッセージを送信するための前記手段は、前記第３の部分的メッセージを前記第２のレートよりも遅い第３のレートで送信するための手段をさらに備える請求項１６に記載の装置。
【請求項１８】
無線通信のための装置であって、
複数のフレームにおける複数の部分的メッセージを受信し、前記複数の部分的メッセージを復号して前記複数の部分を得、及び前記複数の部分内の情報に基づいてデータを交換するように構成された少なくとも１つのプロセッサであって、前記複数の部分的メッセージは、各部分が特定のタイプの情報を備える完全メッセージ内の複数の部分から成る異なる部分組を備える少なくとも１つのプロセッサと、
前記少なくとも１つのプロセッサに結合されたメモリと、を備える、無線通信のための装置。
【請求項１９】
前記少なくとも１つのプロセッサは、フレームにおける前記完全メッセージを受信し及び前記完全メッセージを復号して前記複数の部分を得るように構成される請求項１８に記載の装置。
【請求項２０】
前記少なくとも１つのプロセッサは、第１のフレームにおける第１の部分的メッセージを受信し及び前記第１の部分的メッセージを復号して最も頻繁に変化する少なくとも１つの部分を得るように構成される請求項１８に記載の装置。
【請求項２１】
前記少なくとも１つのプロセッサは、第２のフレームにおける第２の部分的メッセージを受信し及び前記第２の部分的メッセージを復号して前記第１の部分的メッセージ内の前記少なくとも１つの部分よりも低い頻度で変化する少なくとも１つの部分を得るように構成される請求項２０に記載の装置。
【請求項２２】
前記少なくとも１つのプロセッサは、第３のフレームにおける第３の部分的メッセージを受信し及び前記第３の部分的メッセージを復号して変化しない又は前記第２の部分的メッセージ内の前記少なくとも１つの部分よりも低い頻度で変化する少なくとも１つの部分を得るように構成される請求項２１に記載の装置。
【請求項２３】
無線通信のための方法であって、
複数のフレームにおける複数の部分的メッセージを受信することであって、前記複数の部分的メッセージは、各部分が特定のタイプの情報を備える完全メッセージ内の複数の部分から成る異なる部分組を備えることと、
前記複数の部分的メッセージを復号して前記複数の部分を得ることと、
前記複数の部分内の情報に基づいてデータを交換すること、とを備える、無線通信のための方法。
【請求項２４】
フレームにおける前記完全メッセージを受信することと、
前記完全メッセージを復号して前記複数の部分を得ること、とをさらに備える請求項２３に記載の方法。
【請求項２５】
前記複数の部分的メッセージを前記受信することは、第１のフレームにおける第１の部分的メッセージを受信することを備え、及び前記複数の部分的メッセージを前記復号することは、前記第１の部分的メッセージを復号して最も頻繁に変化する少なくとも１つの部分を得ることを備える請求項２３に記載の方法。
【請求項２６】
前記複数の部分的メッセージを前記受信することは、第２のフレームにおける第２の部分的メッセージを受信することをさらに備え、及び前記複数の部分的メッセージを前記復号することは、前記第２の部分的メッセージを復号して前記第１の部分的メッセージ内の前記少なくとも１つの部分よりも低い頻度で変化する少なくとも１つの部分を得ることをさらに備える請求項２５に記載の方法。
【請求項２７】
前記複数の部分的メッセージを前記受信することは、第３のフレームにおける第３の部分的メッセージを受信することをさらに備え、及び前記複数の部分的メッセージを前記復号することは、前記第３の部分的メッセージを復号して変化しない又は前記第２の部分的メッセージ内の前記少なくとも１つの部分よりも低い頻度で変化する少なくとも１つの部分を得ることをさらに備える請求項２６に記載の方法。
【請求項２８】
無線通信のための装置であって、
複数のフレームにおける複数の部分的メッセージを受信するための手段であって、前記複数の部分的メッセージは、各部分が特定のタイプの情報を備える完全メッセージ内の複数の部分から成る異なる部分組を備える手段と、
前記複数の部分的メッセージを復号して前記複数の部分を得るための手段と、
前記複数の部分内の情報に基づいてデータを交換するための手段と、を備える、無線通信のための装置。
【請求項２９】
フレームにおける前記完全メッセージを受信するための手段と、
前記完全メッセージを復号して前記複数の部分を得るための手段と、をさらに備える請求項２８に記載の装置。
【請求項３０】
前記複数の部分的メッセージを受信するための前記手段は、第１のフレームにおける第１の部分的メッセージを受信するための手段を備え、及び前記複数の部分的メッセージを復号するための前記手段は、前記第１の部分的メッセージを復号して最も頻繁に変化する少なくとも１つの部分を得るための手段を備える請求項２８に記載の装置。
【請求項３１】
前記複数の部分的メッセージを受信するための前記手段は、第２のフレームにおける第２の部分的メッセージを受信するための手段をさらに備え、及び前記複数の部分的メッセージを復号するための前記手段は、前記第２の部分的メッセージを復号して前記第１の部分的メッセージ内の前記少なくとも１つの部分よりも低い頻度で変化する少なくとも１つの部分を得るための手段をさらに備える請求項３０に記載の装置。
【請求項３２】
前記複数の部分的メッセージを受信するための前記手段は、第３のフレームにおける第３の部分的メッセージを受信するための手段をさらに備え、及び前記複数の部分的メッセージを復号するための前記手段は、前記第３の部分的メッセージを復号して変化しない又は前記第２の部分的メッセージ内の前記少なくとも１つの部分よりも低い頻度で変化する少なくとも１つの部分を得るための手段をさらに備える請求項３１に記載の装置。
【請求項３３】
コンピュータプログラム製品であって、
複数のフレームにおける複数の部分的メッセージを受信することを少なくとも１つのコンピュータに行わせるための符号であって、前記複数の部分的メッセージは、各部分が特定のタイプの情報を備える完全メッセージ内の複数の部分から成る異なる部分組を備える符号と、
前記複数の部分的メッセージを復号して前記複数の部分を得ることを前記少なくとも１つのコンピュータに行わせるための符号と、
前記複数の部分内の情報に基づいてデータを交換することを前記少なくとも１つのコンピュータに行わせるための符号と、を備えるコンピュータによって読み取り可能な媒体を備える、コンピュータプログラム製品。
【請求項３４】
前記コンピュータによって読み取り可能な媒体は、
フレームにおける前記完全メッセージを受信することを前記少なくとも１つのコンピュータに行わせるための符号と、
前記完全メッセージを復号して前記複数の部分を得ることを前記少なくとも１つのコンピュータに行わせるための符号と、をさらに備える請求項３３に記載のコンピュータプログラム製品。
【発明の詳細な説明】
【技術分野】
【０００１】
３５Ｕ．Ｓ．Ｃ．§１１９に基づく優先権の主張
本特許出願は、“A METHOD AND APPARATUS FOR FRAGMENTING A CONTROL MESSAGE IN WIRELESS COMMUNICATION SYSTEM”（ 無線通信システムにおいて制御メッセージを分割するための方法及び装置）という題名を有し、ここの譲受人に譲渡されており及び参照されることによって明示でここに組み入れられている、米国仮特許出願一連番号６０／８８７，７７７（出願日：２００７年２月１日）に対する優先権を主張するものである。
【０００２】
本開示は、一般的には、通信に関するものである。本開示は、より具体的には、無線通信システムにおいて制御情報を送信するための技法に関するものである。
【背景技術】
【０００３】
様々な通信サービス、例えば音声、映像、パケットデータ、メッセージ伝送、ブロードキャスト、等を提供することを目的として無線通信システムが広範囲にわたって配備されている。これらのシステムは、利用可能なシステム資源を共有することによって複数のユーザーをサポートすることができる多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交ＦＤＭＡ（ＯＦＤＭＡ）システムと、単搬送波ＦＤＭＡ（ＳＣ−ＦＤＭＡ）システムとを含む。
【０００４】
無線通信システムにおいては、基地局は、加入者局に対して周期的に制御メッセージを送信することができる。制御メッセージは、様々なタイプの情報、例えば、ダウンリンク及びアップリンクに関する資源の割り当て、ダウンリンク及びアップリンクにおいて送信するために用いるパラメータ、等を含むことができる。制御メッセージ内の情報は、制御情報、オーバーヘッド情報、シグナリング、等と呼ばれることがある。制御メッセージは、相対的に長くなることがあり、全加入者局が信頼できる状態で受信できるような形で送信する必要がある。この結果、制御メッセージを送信するために用いられる資源が大量になる可能性がある。従って、当業において制御情報を効率的に送信するための技法が必要である。
【発明の概要】
【０００５】
無線通信システムにおいて制御情報を効率的に送信するための技法がここにおいて説明される。一側面においては、制御メッセージにおいて送信する情報は、各部分が特定のタイプの情報を含む複数の部分に分割することができる。前記複数の部分は、複数のカテゴリ、例えば動的、半静的、及び静的、に分類することができる。動的カテゴリは、例えばフレームごとに最も頻繁に変化することができる１つ以上の部分を含むことができる。半静的カテゴリは、それよりも少ない頻度で変化することができる１つ以上の部分を含むことができる。静的カテゴリは、非常に少ない頻度で変化することができるか又はまったく変化しない１つ以上の部分を含むことができる。
【０００６】
一設計においては、基地局は、全部分を含む完全なメッセージを生成することができ及び前記完全なメッセージを第１のレートで送信することができる。前記基地局は、前記動的カテゴリ内の部分を含む第１の部分的メッセージを生成することができ及びこのメッセージを最高レートで送信することができる。前記基地局は、前記半静的カテゴリ内の部分を含む第２の部分的メッセージを生成することができ及び前記最高レートよりも遅い第２のレートでこのメッセージを送信することができる。前記基地局は、前記静的カテゴリ内の部分を含む第３の部分的メッセージを生成することができ及び前記第２のレートよりも遅い第３のレートでこのメッセージを送信することができる。前記完全メッセージに関する前記第１のレートは、前記半静的部分に関する前記第２の部分的メッセージに関する前記第２のレートよりも速い又は遅いことができる。
【０００７】
一設計においては、加入者局は、複数のフレームにおける前記部分的メッセージを受信することができ及びこれらの部分的メッセージを復号して前記複数の部分を得ることができる。前記加入者局は、前記完全メッセージを受信することもでき及びこのメッセージを復号して前記複数の部分を得ることもできる。加入者局は、前記複数の部分内の情報に基づいてデータを交換することができる。
【０００８】
この開示の様々な側面及び特徴が以下においてさらに詳細に説明される。
【図面の簡単な説明】
【０００９】
【図１】無線通信システムを示した図である。
【図２】フレーム構造例を示した図である。
【図３】ダウンリンクマップ（ＤＬ−ＭＡＰ）メッセージの生成を示した図である。
【図４】ＤＬ−ＭＡＰメッセージの送信を示した図である。
【図５】完全及び部分的ＭＡＰメッセージの生成を示した図である。
【図６】完全及び部分的ＭＡＰメッセージの送信を示した図である。
【図７】完全及び部分的ＭＡＰメッセージを送信するためのプロセスを示した図である。
【図８】部分的メッセージを送信するためのプロセスを示した図である。
【図９】情報を送信するための装置の設計を示した図である。
【図１０】完全及び部分的メッセージを受信するためのプロセスを示した図である。
【図１１】部分的メッセージを受信するためのプロセスを示した図である。
【図１２】情報を受信するための装置を示した図である。
【図１３】基地局及び加入者局のブロック図を示した図である。
【発明を実施するための形態】
【００１０】
ここにおいて説明される技法は、様々な無線通信システム、例えばＣＤＭＡ、ＴＤＭＡ、ＦＤＭＡ、ＯＦＤＭＡ、ＳＣ−ＦＤＭＡ及びその他のシステム、に関して用いることができる。“システム”及び“ネットワーク”という用語は、しはしば互換的に用いられる。ＣＤＭＡシステムは、ｃｄｍａ２０００、ユニバーサル地上無線アクセス（ＵＴＲＡ）、等のエアインタフェースを実装することができる。ＯＦＤＭＡシステムは、ウルトラモバイルブロードバンド（ＵＭＢ）、ＥｖｏｌｖｅｄＵＴＲＡ（Ｅ−ＵＴＲＡ）、ＩＥＥＥ８０２．１１（ＷｉＦｉとも呼ばれる）、ＩＥＥＥ８０２．１６（ＷｉＭＡＸとも呼ばれる）、ＩＥＥＥ８０２．２０、Ｆｌａｓｈ−ＯＦＤＭ（登録商標）、等のエアインタフェースを実装することができる。これらの様々なエアインタフェース及び基準は、当業においては既知である。
【００１１】
説明を明確化するため、これらの技法の一定の側面は、以下においてはＷｉＭＡＸに関して説明され、ＷｉＭＡＸは、ＩＥＥＥ８０２．１６“Part 16: Air Interface for Fixed and Mobile Broadband Wireless Access Systems”October 1, 2004（パート１６：  固定式及び移動式ブロードバンド無線アクセスシステムに関するエアインタフェース、２００４年１０月１日）において、及びＩＥＥＥ８０２．１６ｅ“Part 16: Air Interface for Fixed and Mobile Broadband Wireless Access Systems; Amendment 2: Physical and Medium Access Control Layers for Combined Fixed and Mobile Operation in Licensed Bands,”February 28, 2006（パート１６：  固定式及び移動式ブロードバンド無線アクセスシステムに関するエアインタフェース；修正２：認可帯域における結合された固定及び移動動作に関する物理及びメディアアクセス制御層２００６年２月２８日）において説明されている。これらのＩＥＥＥ８０２．１６文書は公に入手可能である。これらの技法は、ＷｉＭＡＸに関して現在開発中の新しいエアインタフェースであるＩＥＥＥ８０２．１６ｍに関しても用いることができる。
【００１２】
図１は、複数の基地局（ＢＳ）１１０及び複数の加入者局（ＳＳ）１２０を有する無線通信システム１００を示す。基地局は、加入者局と通信する局である。基地局は、アクセスポイント、ノードＢ、エボルブドノードＢ、等と呼ばれることもある。各基地局は、特定の地理的エリアに関する通信カバレッジを提供することができ及びカバレッジエリア内に所在する加入者局と交信することができる。システムコントローラ１３０は、基地局に結合してこれらの基地局に関する調整及び制御を提供することができる。
【００１３】
加入者局１２０は、システム全体に分散することができ、及び各加入者局は、静止型又は移動型であることができる。加入者局は、移動局、端末、アクセス端末、ユーザー装置、加入者ユニット、局、等と呼ばれることもある。加入者局は、携帯電話、パーソナルデジタルアシスタント（ＰＤＡ）、無線通信デバイス、無線モデム、ハンドヘルドデバイス、ラップトップコンピュータ、コードレスフォン、等であることができる。加入者局は、ダウンリンク（ＤＬ）及び／又はアップリンク（ＵＬ）において基地局と通信することができる。ダウンリンク（又は順方向リンク）は、基地局から加入者局への通信リンクを意味し、アップリンク（又は逆方向リンク）は、加入者局から基地局への通信リンクを意味する。
【００１４】
図２は、ＩＥＥＥ８０２．１６における時分割複信（ＴＤＤ）モードに関するフレーム構造例２００を示す。送信タイムラインは、フレーム単位にパーティショニングすることができる。各フレームは、予め決められた継続時間、例えば５ミリ秒（ｍｓ）にわたることができ、及びダウンリンクサブフレーム及びアップリンクサブフレームにパーティショニングすることができる。ダウンリンク及びアップリンクサブフレームは、送信受信切り替えギャップ（ＴＴＧ）及び受信送信切り替えギャップ（ＲＴＧ）によって分離することができる。
【００１５】
ダウンリンクサブフレームは、プリアンブルと、フレーム制御ヘッダ（ＦＣＨ）と、ダウンリンクマップ（ＤＬ−ＭＡＰ）と、アップリンクマップ（ＵＬ−ＭＡＰ）と、ダウンリンク（ＤＬ）バースト、とを含むことができる。プリアンブルは、フレームの検出及び同期化に関して加入者局によって用いることができる既知の送信を搬送することができる。ＦＣＨは、ＤＬ−ＭＡＰ、ＵＬ−ＭＡＰ、及びダウンリンクバーストを受信するために用いられるパラメータを搬送することができる。ＤＬ−ＭＡＰは、ダウンリンク送信に関係する様々なタイプの情報を含むことができるＤＬ−ＭＡＰメッセージを搬送することができる。ＵＬ−ＭＡＰは、アップリンク送信に関係する様々なタイプの情報を含むことができるＵＬ−ＭＡＰメッセージを搬送することができる。ダウンリンクバーストは、交信中の加入者局に関するトラフィックデータを搬送することができる。アップリンクサブフレームは、アップリンク送信に関してスケジューリングされた加入者局からトラフィックデータを搬送することができるアップリンクバーストを含むことができる。
【００１６】
一般的には、ダウンリンク及びアップリンクサブフレームは、フレームの一部分を網羅することができる。図２に示される設計においては、フレームは、２９のＯＦＤＭシンボルにわたり、ダウンリンクサブフレームは、１５のＯＦＤＭシンボルを網羅し、アップリンクサブフレームは、１４のＯＦＤＭシンボルを網羅する。フレーム、ダウンリンクサブフレーム、及びアップリンクサブフレームは、固定又は構成可能であるその他の継続時間を有することもできる。
【００１７】
図３は、ＤＬ−ＭＡＰメッセージの生成を示す。ＤＬ−ＭＡＰメッセージは、様々なパラメータ、例えばダウンリンクチャネル記述子（ＤＣＤ）カウント、基地局識別子（ＩＤ）、オペレータＩＤ、セクターＩＤ、等を含むことができる。これらのパラメータは、上記のＩＥＥＥ８０２．１６文書において説明されている。ＤＬ−ＭＡＰメッセージでは様々な情報要素（ＩＥ）を送信することもでき、ＩＥＥＥ８０２．１６文書でも説明されている。これらのパラメータ及びＩＥは、ＤＬ−ＭＡＰメッセージにおいて送信される異なるタイプの情報を含むことができる。符号器３１０は、ＤＬ−ＭＡＰメッセージを生成するために様々なパラメータ及びＩＥをフォーマット化及び符号化することができる。
【００１８】
同様に、ＵＬ−ＭＡＰメッセージでは様々なパラメータ及びＩＥを送信することができ、ＩＥＥＥ８０２．１６文書において説明されている。これらの様々なパラメータ及びＩＥは、ＵＬ−ＭＡＰメッセージを生成するためにフォーマット化及び符号化することができる。
【００１９】
図４は、ＩＥＥＥ８０２．１６によるＤＬ−ＭＡＰメッセージの送信を示す。新しいＤＬ−ＭＡＰメッセージを、そのＤＬ−ＭＡＰメッセージに入れて送信されるべきパラメータ及びＩＥに関する現在の情報に基づいて各フレーム内において生成することができる。各フレームにおいて生成されたＤＬ−ＭＡＰメッセージは、図２及び４に示されるように、そのフレーム内のダウンリンクサブフレームの一部分において送信することができる。
【００２０】
同様に、新しいＵＬ−ＭＡＰメッセージを、そのＵＬ−ＭＡＰメッセージに入れて送信されるべきパラメータ及びＩＥに関する現在の情報に基づいて各フレーム内において生成することができる。各フレームにおいて生成されたＵＬ−ＭＡＰメッセージは、図４には示されないが図２に示されるように、そのフレーム内のダウンリンクサブフレームの一部分において送信することができる。
【００２１】
加入者局は、ダウンリンクサブフレーム内のＦＣＨを処理することで、ＤＬ−ＭＡＰ及びＵＬ−ＭＡＰメッセージを処理するための関係情報を得ることができる。次に、加入者局は、ＦＣＨから得られた情報に従ってダウンリンクサブフレームを処理してＤＬ−ＭＡＰメッセージを復元することができる。加入者局は、ＤＬ−ＭＡＰメッセージに基づいてダウンリンク送信がスケジューリングされているかどうかを確認することができる。ダウンリンク送信がスケジューリングされている場合は、加入者局は、ＤＬ−ＭＡＰメッセージから得られた情報に基づいてダウンリンクバーストを処理することができる。
【００２２】
加入者局は、ＦＣＨからの情報に従ってダウンリンクサブフレームを処理してＵＬ−ＭＡＰメッセージを復元することもできる。加入者局は、ＵＬ−ＭＡＰメッセージに基づいてアップリンク送信がスケジューリングされているかどうかを確認することができる。アップリンク送信がスケジューリングされている場合は、加入者局は、ＵＬ−ＭＡＰメッセージから得られた情報に基づいてアップリンクリンクバーストにおいてデータを送信することができる。
【００２３】
ＤＬ−ＭＡＰ及びＵＬ−ＭＡＰメッセージは、ダウンリンクにおいてデータを受信するために及びアップリンクにおいてデータを送信するために加入者局によって用いられる情報を搬送する。ＤＬ−ＭＡＰ及びＵＬ−ＭＡＰメッセージは、相対的に長くすることができ及び全加入者局が信頼できる状態で受信できるような形で送信することができる。ＤＬ−ＭＡＰ及びＵＬ−ＭＡＰメッセージを各フレームにおいて送信するために相対的に大量の資源が消費される可能性がある。
【００２４】
一側面においては、ＭＡＰメッセージにおいて送信される情報は、各部分が特定のタイプの情報を含む複数の部分に分割又は分離することができる。複数の部分は、複数のカテゴリ、例えば動的、半静的、及び静的、に分類することができる。動的カテゴリは、例えばフレームごとに最も頻繁に変化することができる１つ以上の部分を含むことができる。従って、動的カテゴリ内の情報は、その情報が送信されるフレーム特有の情報であることができる。半静的カテゴリは、それよりも低い頻度で変化することができる１つ以上の部分を含むことができる。静的カテゴリは、非常に低い頻度で変化することができるか又はまったく変化しない１つ以上の部分を含むことができる。半静的及び静的カテゴリ内の情報は、システム、基地局、等の特徴を記述することができる。一般的には、ＭＡＰメッセージにおいて送信される情報は、あらゆる数の部分に分割することができ、これらの部分は、あらゆる数のカテゴリに分類することができる。各カテゴリ内の部分は、後述されるように効率的に符号化及び送信することができる。
【００２５】
一般的には、各リンクに関して制御メッセージにおいて送信される情報のタイプは、エアインタフェース又はシステムに依存することができる。テーブル１は、ＩＥＥＥ８０２．１６においてＤＬ−ＭＡＰメッセージで送信することができる幾つかのパラメータ及びＩＥを示し、各タイプの情報の短い説明及びカテゴリ分類を提供する。
【表１】
2010518707.tif 000003
【００２６】
図５は、ＤＬ−ＭＡＰメッセージ又はＵＬ−ＭＡＰメッセージに関する完全及び部分的ＭＡＰメッセージを生成する設計を示す。フォーマット器５１０は、様々なパラメータ１乃至Ｐ及び様々なＩＥ１乃至Ｑを受け取って複数の部分に分割することができ及び各部分内の情報の特徴に基づいてこれらの部分を動的カテゴリ、半静的カテゴリ、及び静的カテゴリに分類することができる。一般的には、各カテゴリは、あらゆる数の部分を含むことができる。図５に示される例においては、動的カテゴリは、Ｋの動的部分１乃至Ｋを含み、半静的カテゴリは、Ｌの半静的部分１乃至Ｌを含み、静的カテゴリは、Ｍの静的部分１乃至Ｍを含み、ここで、一般的には、Ｋ≧１、Ｌ≧０及びＭ≧０である。
【００２７】
符号器５２０は、図５において、すべてのパラメータ及びＩＥを通常の方法でフォーマット化及び符号化すること及び完全なＭＡＰメッセージを生成することができ、完全なＭＡＰメッセージは、Ｍ０のラベルが付される。符号器５２２は、動的部分１乃至Ｋをフォーマット化及び符号化すること及び動的カテゴリに関する第１の部分的ＭＡＰメッセージを生成することができ、第１の部分的ＭＡＰメッセージは、Ｍ１のラベルが付される。符号器５２４は、半静的部分１乃至Ｌをフォーマット化及び符号化すること及び半静的カテゴリに関する第２の部分的ＭＡＰメッセージを生成することができ、第２の部分的ＭＡＰメッセージは、Ｍ２のラベルが付される。符号器５２６は、静的部分１乃至Ｍをフォーマット化及び符号化すること及び静的カテゴリに関する第３の部分的ＭＡＰメッセージを生成することができ、第３の部分的ＭＡＰメッセージは、Ｍ３のラベルが付される。
【００２８】
図５に示される設計においては、符号器５２０は、すべての部分を含む１つの完全ＭＡＰメッセージを生成することができ、符号器５２２、５２４及び５２６は、３つのカテゴリに関する３つの部分的ＭＡＰメッセージを生成することができる。各カテゴリに関する部分的ＭＡＰメッセージは、そのカテゴリ内のすべての部分を含むことができる。各部分的ＭＡＰメッセージは、基地局によって別々に符号器することができ及び加入者局によって別々に復号することができる。
【００２９】
他の設計においては、所定のカテゴリ内の部分は、複数のサブカテゴリにさらにパーティショニングすることができ、これらの複数のサブカテゴリは、異なるタイプの情報用であることができる。例えば、サブカテゴリは、多入力多出力（ＭＩＭＯ）動作に関連する情報を含む部分を含むことができる。このサブカテゴリは、ＭＩＭＯをサポートする加入者局を対象とすることができ、ＭＩＭＯをサポートしない加入者局は無視することができる。各サブカテゴリに関して１つの部分的ＭＡＰメッセージを生成することができる。これらの部分を複数のサブカテゴリにパーティショニングすることは、より小さい部分的ＭＡＰメッセージの生成を可能にすることができる。説明を明確化するため、以下の説明は、各カテゴリに関して１つの部分的ＭＡＰメッセージが生成されると仮定する。
【００３０】
図５は、各カテゴリに関する完全ＭＡＰメッセージ及び部分的ＭＡＰメッセージの生成を示す。一設計においては、各フレームにおいて、そのフレームで送信される情報に基づいて完全ＭＡＰメッセージ又は部分的ＭＡＰメッセージのいずれかを生成することができる。
【００３１】
他の側面においては、異なるカテゴリに関する部分的ＭＡＰメッセージは、オーバーヘッドを低減させるために異なるレートで送信することができる。動的カテゴリ内の部分は、現在の情報を提供するために（例えば各フレームにおいて）最高レートで送信することができる。半静的カテゴリ内の部分は、それよりも低い頻度で、例えばＳフレームごとに、送信することができ、ここで、Ｓは、あらゆる適切な値であることができる。静的カテゴリ内の部分は、それよりも低い頻度で、例えばＴフレームごとに、送信することができ、ここで、Ｔは、あらゆる適切な値であることができ及びＳより大きいことができる。
【００３２】
一設計においては、完全ＭＡＰメッセージは、頻繁でないレートで、例えばＲフレームごとに、送信することができ、ここで、Ｒはあらゆる適切な値であることができる。幾つかのレガシー加入者局は、部分的ＭＡＰメッセージを復号できないことがある。完全ＭＡＰメッセージは、レガシー加入者局をサポートするために周期的に送信することができる。これらの加入者局は、完全ＭＡＰメッセージが送信される各フレームにおける完全ＭＡＰメッセージを復号することができる。これらの加入者局は、完全ＭＡＰメッセージが送信されない各フレームにおいてその完全ＭＡＰメッセージに関する復号誤りを入手することができ及び単に次のフレームまで待つことができる。完全ＭＡＰフレームをより遅いレートで送信することは、オーバーヘッドを低減させながらレガシー加入者局に関する後方互換性を維持することができる。
【００３３】
図６は、完全及び部分的ＭＡＰメッセージを送信する設計を示す。この設計においては、完全ＭＡＰメッセージＭ０は、例えばフレームｎ、ｎ＋Ｒ、等において、Ｒフレームごとに周期的に送信することができる。完全ＭＡＰメッセージはすべてのカテゴリに関するすべての部分を含むため、部分的ＭＡＰメッセージは、完全ＭＡＰメッセージが送信される各フレームにおいて送信する必要がない。
【００３４】
動的カテゴリに関する第１の部分的ＭＡＰメッセージＭ１は、例えば完全ＭＡＰメッセージが送信されない各フレームにおいて、最高レートで送信することができる。これは、現在の情報を各フレームにおいて完全ＭＡＰメッセージ又は第１の部分的ＭＡＰメッセージのいずれにおいても送信できるようにする。
【００３５】
半静的カテゴリに関する第２の部分的ＭＡＰメッセージＭ２は、第１の部分的ＭＡＰメッセージよりも遅いレートで送信することができる。例えば、第２の部分的ＭＡＰメッセージＭ２内の部分は、例えばフレームｎ、ｎ＋Ｓ、等においてほぼＳフレームごとに、周期的に送信することができる。これらの部分は、このメッセージが例えばフレームｎにおいて送信されるときに常に完全ＭＡＰメッセージにおいて送信することができる。これらの部分は、例えばフレームｎ＋Ｓにおいて、半静的カテゴリに関する第２の部分的ＭＡＰメッセージＭ２において送信することもできる。
【００３６】
静的カテゴリに関する第３の部分的ＭＡＰメッセージＭ３は、第２の部分的ＭＡＰメッセージＭ２よりも遅いレートで送信することができる。例えば、第３の部分的ＭＡＰメッセージＭ３内の部分は、例えばフレームｎ、ｎ＋Ｔ、等においてほぼＴレームごとに、周期的に送信することができる。これらの部分は、このメッセージが例えばフレームｎにおいて送信されるときに常に完全ＭＡＰメッセージにおいて送信することができる。これらの部分は、例えばフレームｎ＋Ｓにおいて、静的カテゴリに関する第３の部分的ＭＡＰメッセージＭ３において送信することもできる。
【００３７】
一設計においては、完全及び部分的ＭＡＰメッセージは、以下のように送信することができる。
【００３８】
・レート１（最高レート）−動的部分
・レート２（レート１よりも遅い）−完全ＭＡＰメッセージ
・レート３（レート２よりも遅い）−半静的部分
・レート４（レート３よりも遅い）−静的部分
他の設計においては、完全ＭＡＰメッセージは、半静的部分よりも遅いレートで送信することができる。
【００３９】
一般的には、完全ＭＡＰメッセージ及び部分的ＭＡＰメッセージに関するレートは、様々な要因、例えば情報を送るためのオーバーヘッド、情報受信遅延、等、に基づいて選択することができる。加入者局は、ダウンリンクにおいてデータを受信するために及び／又はアップリンクにおいてデータを送信するために各カテゴリ内の１つ以上の部分を要求することができる。情報をより低い頻度で送信することは、オーバーヘッドを低減させることができるが、ダウンリンク及び／又はアップリンク送信に関して要求される部分を受信するために必要な時間量を増大させる可能性がある。完全及び部分的ＭＡＰメッセージに関するレートは、オーバーヘッドと遅延との間の犠牲に基づいて選択することができる。一設計においては、半静的及び静的カテゴリに関する部分的ＭＡＰメッセージは、図６に示されるように、完全ＭＡＰメッセージより低い頻度で送信することができる。他の設計においては、半静的及び静的カテゴリに関する部分的ＭＡＰメッセージは、完全ＭＡＰメッセージより高い頻度で送信することができる。この場合は、新規加入者局は、完全ＭＡＰメッセージを待つ必要なしにこれらの部分的ＭＡＰメッセージから部分を受信して統合することができる。レガシー加入者局は、部分的ＭＡＰメッセージを無視することができ又はこれらについて誤った復号をして復号上の誤りを無視することができる。
【００４０】
一設計においては、基地局は、部分的ＭＡＰメッセージがどのように送信されるかを示す表示又は情報をブロードキャストすることができる。この情報は、ＤＬ／ＵＬ−ＭＡＰが部分的ＭＡＰメッセージにおいて送信されること及びＤＬ／ＵＬ−ＭＡＰを得るために部分的ＭＡＰメッセージをどのように受信して組み立てるかを示すことができる。部分的ＭＡＰメッセージは、新しい加入者局に搬送できるか又は新しい加入者局が知ることができる一定の周波数帯域幅を用いて、システム帯域幅の一部分を通じての高電力によるビーコンブロードキャストを用いて、又はその他の技法を用いて送信することもできる。一設計においては、加入者局は、誤って復号された部分的ＭＡＰメッセージに関する否定応答（ＮＡＣＫ）を送信することができる。この設計においては、基地局は、受信されるＮＡＣＫの対象となる各部分的ＭＡＰメッセージを再送信することができる。他の設計においては、基地局は、新しい加入者局によって誤った状態で復号された部分的ＭＡＰメッセージに関する自動再送信を行うことができる。
【００４１】
図７は、情報を完全メッセージ及び部分的メッセージにおいて送信するために基地局によって実行されるプロセス７００の設計を示す。基地局は、各部分が特定のタイプの情報を備える複数の部分を備える完全メッセージを生成することができる（ブロック７１２）。完全メッセージは、ＤＬ−ＭＡＰメッセージ、ＵＬ−ＭＡＰメッセージ、又はその他の何らかの制御メッセージを備えることができる。基地局は、完全メッセージを第１のレートで送信することができる（ブロック７１４）。基地局は、完全メッセージ内の複数の部分から成る異なる部分組を備える複数の部分的メッセージを生成することができる（ブロック７１６）。一設計においては、異なる部分組は重なり合わず、複数の部分的メッセージは、完全メッセージ内の異なる部分を備える。他の設計においては、異なる部分組は部分的に重なり合い、所定の部分は２つ以上の部分的メッセージにおいて送信することができる。基地局は、各々のレートで、例えば異なるレートで、複数の部分的メッセージを送信することができる（ブロック７１８）。
【００４２】
図８は、部分的メッセージを送信するために基地局によって実行されるプロセス８００の設計を示す。プロセス８００は、図７におけるブロック７１６及び７１８に関して用いることができる。基地局は、例えば各フレームにおいて、動的カテゴリに属しており最も頻繁に変化する少なくとも１つの部分を備える第１の部分的メッセージを生成することができる（ブロック８１２）。基地局は、例えば完全メッセージが送信されない各フレームにおいて、第１の部分的メッセージを最高レートで送信することができる（ブロック８１４）。基地局は、半静的カテゴリに属しており第１の部分的メッセージにおける少なくとも１つの部分よりも低い頻度で変化する少なくとも１つの部分を備える第２の部分的メッセージを生成することができる（ブロック８１６）。基地局は、最高レートよりも遅い第２のレートで第２の部分的メッセージを送信することができる（ブロック８１８）。基地局は、静的カテゴリに属しており変化しない又は第２の部分的メッセージ内の少なくとも１つの部分よりも低い頻度で変化する少なくとも１つの部分を備える第３の部分的メッセージを生成することができる（ブロック８２０）。基地局は、第２のレートよりも遅い第３のレートで第３の部分的メッセージを送信することができる（ブロック８２２）。
【００４３】
図８に示される設計においては、３つのカテゴリに関して３つの部分的メッセージが生成されて３つの異なるレートで送信される。基地局は、これよりも少ない又は多いカテゴリに関してこれよりも少ない又は多い部分的メッセージを生成することもできる。他の設計においては、基地局は、動的及び半静的カテゴリに関して、又は動的及び静的カテゴリに関して、２つの部分的メッセージのみを生成することができる。基地局は、所定のカテゴリの２つ以上のサブカテゴリに関して２つ以上の部分的メッセージを生成することもできる。
【００４４】
各部分的メッセージ内に含まれる情報のタイプは、システムに依存することができる。一設計においては、第１の部分的メッセージは、資源割り当て情報、確認応答情報、及び／又はポインタ情報を含むことができる。第２の部分的メッセージは、干渉及び雑音情報及び／又は物理層（ＰＨＹ）情報を含むことができる。第３の部分的メッセージは、基地局ＩＤ情報を含むことができる。各部分的メッセージは、その他のタイプの情報を含むこともできる。
【００４５】
図９は、情報を送信するための装置９００の設計を示す。装置９００は、各部分が特定のタイプの情報を備える複数の部分を備える完全メッセージを生成するための手段（モジュール９１２）と、完全メッセージを第１のレートで送信するための手段（モジュール９１４）と、完全メッセージ内の複数の部分から成る異なる部分組を備える複数の部分的メッセージを生成するための手段（モジュール９１６）と、複数の部分的メッセージを各々のレートで送信するための手段（モジュール９１８）と、を含む。
【００４６】
図１０は、完全メッセージ及び部分的メッセージから情報を受け取るために加入者局によって実行されるプロセス１０００の設計を示す。加入者局は、複数のフレームにおける複数の部分的メッセージを受信することができ、これらの複数の部分的メッセージは、完全メッセージ内の複数の部分から成る異なる部分組を備え、各部分は、特定のタイプの情報を備える（ブロック１０１２）。加入者局は、複数の部分的メッセージを復号して複数の部分を得ることができる（ブロック１０１４）。加入者局は、複数の部分内の情報に基づいてデータを交換する（例えば、ダウンリンクにおいてデータを受信し及び／又はアップリンクにおいてデータを送信する）ことができる（ブロック１０１６）。加入者局は、フレームにおける完全メッセージを受信することもでき（ブロック１０１８）及び完全メッセージを復号して複数の部分を得ることができる（ブロック１０２０）。
【００４７】
図１１は、部分的メッセージを受信するために加入者局によって実行されるプロセス１１００の設計を示す。プロセス１１００は、図１０のブロック１０１２及び１０１４に関して用いることができる。加入者局は、第１のフレームにおける第１の部分的メッセージを受信することができ（ブロック１１１２）及び第１の部分的メッセージを復号して最も頻繁に変化する少なくとも１つの部分を得ることができる（ブロック１１１４）。加入者局は、第２のフレームにおける第２の部分的メッセージを受信することができ（ブロック１１１６）及び第２の部分的メッセージを復号して第１の部分的メッセージ内の少なくとも１つの部分よりも低い頻度で変化する少なくとも１つの部分を得ることができる（ブロック１１１８）。加入者局は、第３のフレームにおける第３の部分的メッセージを受信することができ（ブロック１１２０）及び第３の部分的メッセージを復号して変化しない又は第２の部分的メッセージ内の少なくとも１つの部分よりも低い頻度で変化する少なくとも１つの部分を得ることができる（ブロック１１２２）。
【００４８】
図１２は、情報を受信するための装置１２００の設計を示す。装置１２００は、複数のフレームにおける複数の部分的メッセージを受信するための手段であって、これらの複数の部分的メッセージは、完全メッセージ内の複数の部分から成る異なる部分組を備え、各部分は、特定のタイプの情報を備える手段（モジュール１２１２）と、複数の部分的メッセージを復号して複数の部分を得るための手段（モジュール１２１４）と、複数の部分内の情報に基づいてデータを交換するための手段（モジュール１２１６）と、フレームにおいて完全メッセージを受信するための手段（モジュール１２１８）と、完全メッセージを復号して複数の部分を得るための手段（モジュール１２２０）と、を含む。
【００４９】
図９及び１２のモジュールは、プロセッサ、電子デバイス、ハードウェアデバイス、電子構成要素、論理回路、メモリ、等又はそのあらゆる組み合わせを備えることができる。
【００５０】
図１３は、図１の基地局のうちの１つである基地局１１０及び加入者局のうちの１つである加入者局１２０の設計のブロック図である。この設計においては、基地局１１０は、Ｕのアンテナ１３２４ａ乃至１３２４ｕを装備し、加入者局１２０は、Ｖのアンテナ１３５２ａ乃至１３５２ｖを装備し、ここで、一般的には、Ｕ≧１及びＶ≧１である。
【００５１】
ダウンリンクにおいては、基地局１１０において、送信（ＴＸ）データ及び制御プロセッサ１３１０は、データソース１３０８からデータを受け取り、そのデータを処理（例えば、符号化、インターリービング、及びシンボルマッピング）し、データシンボルを提供することができる。プロセッサ１３１０は、１つ以上の制御メッセージ（例えば、ＤＬ−ＭＡＰメッセージ及び／又はＵＬ−ＭＡＰメッセージ）に関する情報を受け取り、その情報を部分に分割し、及びこれらの部分を処理して完全メッセージ及び部分的メッセージに関する制御シンボルを生成することができる。ＴＸ  ＭＩＭＯプロセッサ１３２０は、データ及び制御シンボルをパイロットシンボルと多重化し、該当する場合はＭＩＭＯ処理を行い、Ｕの出力シンボルストリームをＵの送信機（ＴＭＴＲ）１３２２ａ乃至１３２２ｕに提供することができる。各送信機１３２２は、（例えばＯＦＤＭに関する）出力シンボルストリームを処理して出力チップストリーム得ることができる。各送信機１３２２は、出力チップストリームをさらにコンディショニング（例えば、アナログへの変換、フィルタリング、増幅、及びアップコンバージョン）し及びダウンリンク信号を生成することができる。送信機１３２２ａ乃至１３２２ｕからのＵのダウンリンク信号は、Ｕのアンテナ１３２４ａ乃至１３２４ｕからそれぞれ送信することができる。
【００５２】
加入者局１２０において、Ｖのアンテナ１３５２ａ乃至１３５２ｖは、基地局１１０からダウンリンク信号を受信することができ、各アンテナ１３５２は、受信された信号を各々の受信機（ＲＣＶＲ）１３５４に提供することができる。各受信機１３５４は、受信された信号をコンディショニング（例えば、フィルタリング、増幅、ダウンコンバージョン、及びデジタル化）してサンプルを得、（例えばＯＦＤＭに関して）これらのサンプルを処理して受信されたシンボルを得、受信されたシンボルをＭＩＭＯ検出器１３５６に提供することができる。ＭＩＭＯ検出器１３５６は、該当する場合は、受信された信号に関するＭＩＭＯ検出を行い、検出されたシンボルを提供することができる。受信（ＲＸ）データ及び制御プロセッサ１３６０は、検出されたシンボルを処理（例えば、シンボルデマッピング、デインターリービング、及び復号）して復号されたデータ及び復号された完全メッセージと部分的メッセージを得ることができる。プロセッサ１３６０は、復号されたデータをデータシンク１３６２に提供すること及び復号されたメッセージをコントローラ／プロセッサ１３７０に提供することができる。一般的には、ＭＩＭＯ検出器１３５６及びＲＸデータ及び制御プロセッサ１３６０による処理は、基地局１１０におけるＴＸ  ＭＩＭＯプロセッサ１３２０及びＴＸデータ及び制御プロセッサ１３１０による処理を補完するものである。
【００５３】
アップリンクにおいては、加入者局１２０において、ＴＸデータ及び制御プロセッサ１３８０は、データソース１３７８からのデータ及びコントローラ／プロセッサ１３７０からの情報を受け取り、これらのデータ及び情報を処理し、及びシンボルを提供することができる。プロセッサ１３８０からのシンボルは、パイロットシンボルと多重化し、ＴＸ  ＭＩＭＯプロセッサ１３８２によって空間処理し、及び送信機１３５４ａ乃至１３５４ｖによってさらに処理してＶのアップリンク信号を得、Ｖのアップリンク信号は、アンテナ１３５２ａ乃至１３５２ｖを介して送信することができる。基地局１１０において、加入者局１２０からのアップリンク信号は、アンテナ１３２４ａ乃至１３２４ｕによって受信し、受信機１３２２ａ乃至１３２２ｕによって処理し、ＭＩＭＯ検出器１３３８によって検出し、ＲＸデータ及び制御プロセッサ１３４０によってさらに処理して加入者局１２０によって送信されたデータ及び情報を復元することができる。
【００５４】
コントローラ／プロセッサ１３３０及び１３７０は、基地局１１０及び加入者局１２０における動作をそれぞれ指示することができる。メモリ１３３２及び１３７２は、基地局１１０及び加入者局１２０に関するデータ及びプログラムコードをそれぞれ格納することができる。スケジューラ１３３４は、ダウンリンク及び／又はアップリンクにおけるデータ送信に関して加入者局１２０をスケジューリングすることができ及びデータ送信のための資源を割り当てることができる。
【００５５】
情報及び信号は様々な異なる技術及び技法のうちのいずれかを用いて表すことができることを当業者は理解するであろう。例えば、上記の説明全体を通じて参照されることがあるデータ、命令、コマンド、情報、信号、ビット、シンボル、及びチップは、電圧、電流、電磁波、磁場、磁気粒子、光学場、光学粒子、又はそのいずれかの組み合わせによって表すことができる。
【００５６】
ここにおける開示と関係させて説明される様々な例示的論理ブロック、モジュール、回路、及びアルゴリズム上のステップは、電子ハードウェアとして、コンピュータソフトウェアとして、又は両方の組合せとして実装できることを当業者はさらに理解するであろう。ハードウェアとソフトウェアのこの互換性を明確に例示するため、上記においては、様々な例示的構成要素、ブロック、モジュール、回路、及びステップが、各々の機能の観点で一般的に説明されている。該機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本発明の適用範囲からの逸脱を生じさせるものであるとは解釈すべきではない。  
ここにおいて開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成要素、又はそのあらゆる組合せ、とともに実装又は実行することができる。汎用プロセッサはマイクロプロセッサであることができるが、代替においては、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサの組合せ、ＤＳＰコアと関連する1つ以上のマイクロプロセッサの組合せ、又はその他のあらゆる該コンフィギュレーションとの組合せ、として実装することもできる。
【００５７】
ここにおいて開示と関係させて説明される方法又はアルゴリズムのステップは、ハードウェア内において直接具現化させること、プロセッサによって実行されるソフトウェアモジュール内において具現化させること、又は両方の組合せ内において具現化させることができる。ソフトウェアモジュールは、ＲＡＭメモリ、フラッシュメモリ、ＲＯＭメモリ、ＥＲＰＯＭメモリ、ＥＥＲＰＯＭメモリ、レジスタ、ハードディスク、取り外し可能ディスク、ＣＤ−ＲＯＭ、又は当業において知られるその他のあらゆる形態の記憶媒体に常駐することが可能である。典型的記憶媒体は、プロセッサが記憶媒体から情報を読み出すことができるように及び記憶媒体に情報を書き込むことができるようにプロセッサに結合される。代替においては、プロセッサと一体化させることができる。プロセッサ及び記憶媒体は、ＡＳＩＣ内に常駐することができる。ＡＳＩＣは、ユーザー端末内に常駐することができる。代替においては、プロセッサ及び記憶媒体は、ユーザー端末において個別構成要素として常駐することができる。
【００５８】
１つ以上の典型的設計においては、説明される機能は、ハードウェア、ソフトウェア、ファームウェア、又はそのいずれかの組み合わせにおいて実装することができる。ソフトウェアにおいて実装される場合は、これらの機能は、コンピュータによって読み取り可能な媒体において１つ以上の命令又は符号として格納又は送信することができる。コンピュータによって読み取り可能な媒体は、１つの場所から他の場所へのコンピュータプログラムの転送を容易にする媒体を含むコンピュータ記憶媒体及び通信媒体の両方を含む。記憶媒体は、汎用コンピュータ又は専用コンピュータによってアクセスすることができるあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク（ｄｉｓｋ）記憶装置、磁気ディスク（ｄｉｓｋ）記憶装置又はその他の磁気記憶デバイス、又は希望されるプログラムコード手段を命令又はデータ構造の形態で搬送又は格納するために用いることができ及び汎用コンピュータ又は専用コンピュータ、又は汎用プロセッサ又は専用コンピュータによってアクセスすることができるその他の媒体、を備えることができる。さらに、あらゆる接続がコンピュータによって読み取り可能な媒体と呼ばれることが適切である。例えば、ソフトウェアが、同軸ケーブル、光ファイバケーブル、より対線、デジタル加入者ライン（ＤＳＬ）、又は無線技術、例えば赤外線、無線、及びマイクロ波、を用いてウェブサイト、サーバー、又はその他の遠隔ソースから送信される場合は、その同軸ケーブル、光ファイバケーブル、より対線、ＤＳＬ、又は無線技術、例えば赤外線、無線、及びマイクロ波、は、媒体の定義の中に含まれる。ここにおいて用いられるディスク（ｄｉｓｋ）及びディスク（ｄｉｓｃ）は、コンパクトディスク（ｄｉｓｃ）（ＣＤ）と、レーザーディスク（登録商標）（ｄｉｓｃ）と、光学ディスク（ｄｉｓｃ）と、デジタルバーサタイルディスク（ｄｉｓｃ）（ＤＶＤ）と、フロッピー（登録商標）ディスク（ｄｉｓｋ）と、ブルーレイディスク（ｄｉｓｃ）と、を含み、ここで、ｄｉｓｋは、通常はデータを磁気的に複製し、ｄｉｓｃは、レーザーによって光学的にデータを複製する。上記の組み合わせも、コンピュータによって読み取り可能な媒体の適用範囲内に含めるべきである。
【００５９】
開示の上記説明は、当業者が開示を製造又は使用できるようにすることを目的とするものである。開示に対する様々な修正は、当業者にとって容易に明確になるであろう。ここにおいて定められる一般原理は、開示の適用範囲を逸脱しない形でその他の変形に対しても適用することができる。以上のように、開示は、ここにおいて説明される例及び設計に限定されることが意図されるものではなく、ここにおいて開示される原理及び斬新な特徴に一致する限りにおいて最も広範な適用範囲が認められるべきである。
【図１】
2010518707.tif 000004
【図２】
2010518707.tif 000005
【図３】
2010518707.tif 000006
【図４】
2010518707.tif 000007
【図５】
2010518707.tif 000008
【図６】
2010518707.tif 000009
【図７】
2010518707.tif 000010
【図８】
2010518707.tif 000011
【図９】
2010518707.tif 000012
【図１０】
2010518707.tif 000013
【図１１】
2010518707.tif 000014
【図１２】
2010518707.tif 000015
【図１３】
2010518707.tif 000016
【国際調査報告】
2010518707.tif 000017
2010518707.tif 000018
2010518707.tif 000019